(57)【特許請求の範囲】
【請求項１】
ブローパイプを熱交換器の前面に配置し、同ブローパイプに設けたノズルからスチームなどの高温媒体を前記熱交換器に噴射して除塵するスートブロワ装置において、前記ブローパイプを暖管パイプの内側に接するように配置すると共に暖管パイプ内に暖機媒体を流し、前記ブローパイプを所定の温度で暖機し；その後、前記暖管パイプの接合部にあるノズルから前記高温媒体を噴射することを特徴とするブローパイプ内のドレン発生防止方法。
【請求項２】
暖機媒体を流す前記暖管パイプ内には複数本のブローパイプを有し、これらを暖機することを特徴とする請求項１記載のブローパイプ内のドレン発生防止方法。
【請求項３】
前記複数本のブローパイプは順次１本ずつ熱交換器に高温媒体を噴射することを特徴とする請求項２記載のブローパイプ内のドレン発生防止方法。
【発明の詳細な説明】
【０００１】
【発明の属する技術分野】
本発明は石炭焚ボイラの排煙脱硫装置のガス・ガスヒータやエコノマイザ等、熱交換器に適用されるスートブロワにおいて、ブローパイプ内のドレン発生を防止する方法に関する。
【０００２】
【従来の技術】
図５は従来の長抜差式スートブロワの一例を示す縦断面図であり、特開昭５８−１９５７０８号に示されるものである。この図に示すように、ブローパイプ１３が回転しながら熱交換器１等を横切り、その先端に設けたノズル１５によりスチーム６等の噴射媒体が熱交換器１内に噴射される。
【０００３】
噴射前には、まず高温噴射媒体投入時、ブローパイプ１３内に発生するドレンをドレン切り箱内５１で噴射させ、ブローパイプ１３内からドレンを除去し、ドレン抜き出し管５２から除去するとともにブローパイプ１３を暖機する方法（プリパージとよぶ）でドレン対策を行っていた。
【０００４】
図６は従来の定置回転式スートブロワの一例を示す縦断面図、図７は図６におけるＣ−Ｃ断面図である。図６に示すように従来の定置回転式スートブロワでは１本のブローパイプ２３に多数のノズル２５が設置されており、噴射は熱交換器全体にわたり全ノズル一斉に行われ、ブローパイプ２３の回転をなめらかにするため軸受１８を設置している。
【０００５】
また、ブローパイプ２３は常に周囲ガスによって冷却されるため、スチーム６投入時にはブローパイプ２３内にドレンが発生し、発生したドレンは噴射媒体と一緒に熱交換器１に噴射されていた。
【０００６】
【発明が解決しようとする課題】
スートブロワにおいてはスチームなど高温噴射媒体を利用する場合、周囲ガス温度が噴射媒体温度よりも低い時にブローパイプ内でドレンが生じる。又、図５に示す従来の長抜差式スートブロワのようにプリパージしても長抜差の時間中にブローパイプ１３が冷され、ドレンを生ずる。
【０００７】
ブローパイプ内にドレンが存在する状態で媒体を噴射を続けると熱交換器１等の表面にミストが付着し、周囲ガス中の煤塵等を熱交換器等に固着させる原因となる。煤塵の固着が進めば、周囲ガス通風圧損上昇、熱交換器等の伝熱性能低下等により長期安定運転ができないという欠点があった。
【０００８】
こうしたドレン発生を抑えるには次の２つの方法が考えられる。即ち、（１）噴射媒体に非凝縮のものを用いる。（２）ブローパイプを周囲ガスから隔離して、噴射媒体の凝縮温度以上に暖機する。本発明は（２）の方法に関するものである。
【０００９】
【課題を解決するための手段】
そこで、本発明は、ブローパイプを暖管パイプで覆い、周囲ガスから隔離して、暖管パイプ内に暖機媒体を通すことで、ブローパイプの暖機を行い、ブローパイプ内にドレン発生を防止する次の（１）〜（３）の手段を提供する。
【００１０】
（１）ブローパイプを熱交換器の前面に配置し、同ブローパイプに設けたノズルからスチームなどの高温媒体を前記熱交換器に噴射して除塵するスートブロワ装置において、前記ブローパイプを暖管パイプの内側に接するように配置すると共に暖管パイプ内に暖機媒体を流し、前記ブローパイプを所定の温度で暖機し；その後、前記暖管パイプの接合部にあるノズルから前記高温媒体を噴射することを特徴とするブローパイプ内のドレン発生防止方法。
【００１１】
（２）上記の（１）において、暖機媒体を流す前記暖管パイプ内には複数本のブローパイプを有し、これらを暖機することを特徴とするブローパイプ内のドレン発生防止方法。
【００１２】
（３）上記（２）において、前記複数本のブローパイプは順次１本ずつ熱交換器に高温媒体を噴射することを特徴とするブローパイプ内のドレン発生防止方法。
【００１３】
本発明は上記の手段により、その（１）の手段においては、ブローパイプを暖管パイプで覆い、周囲ガスから隔離して、暖管パイプ内に暖機媒体を通すことで、ブローパイプの暖機を行い、又、（２）の手段においてはそのブローパイプが複数本有しており、複数本共暖機を行うので、噴射媒体がブローパイプ内に投入される時、ブローパイプの温度が噴射媒体の凝縮しにくい温度以上にすることができ、これによりブローパイプ内のドレン発生は抑制できる。
【００１４】
更に、（３）の手段においては、複数本のブローパイプを１本ずつ順次熱交換器に向けて媒体噴射を行うことができるので、複数本のブローパイプのノズルを熱交換器全幅にわたるように適切な配置にしておき、順次１本ずつ噴射するように制御すれば、煤塵濃度が一時的に上昇する煤塵突変現象を抑えることができると共に、上記と同様にブローパイプ内のドレン発生も防止できる。
【００１５】
上記の暖機媒体は噴射媒体自身でも、その他の媒体でも良く、例えばホットエア、電気ヒータ等、を用いても良い。また、暖機温度は噴射媒体の凝縮温度以上が好ましいが、ドレン発生に伴う噴射時のミストが熱交換器等に与える煤塵等の固着の程度が許容できる範囲であれば良く、ドレン発生の抑制にても効果はあれば良いものである。
【００１６】
【発明の実施の形態】
以下、本発明の実施の形態について図面に基づいて具体的に説明する。図１は本発明の実施の一形態に係るブローパイプ内のドレン発生防止方法を適用するスートブロワの縦断面図、図２はそのＡ−Ａ断面図、図３はＢ−Ｂ断面図である。
【００１７】
これら図において、１は熱交換器、２は暖管パイプであり、内部には３本のブローパイプ３が配置されている。４はドレンを外部に排出するドレントラップ、５は各ブローパイプ３のノズルで、各３本のブローパイプ３に熱交換器１の全幅にわたるように配置されている。６はスチーム、７はロータリジョイント、８は軸受で、ロータリジョイント７と軸受８はそれぞれ熱交換器１の両側に設けられ、暖管パイプ２を支持している。９はモータ１０と連結する減速装置、２１は暖管パイプ２の内部を通る暖機流路である。
【００１８】
スートブロワの噴射では一度に広範囲の除塵を行うと一時的に煙突から出る煤煙の煤塵濃度が上昇する現象（煤塵突変現象）が起こり、これが問題となっている。そのため上記の構成におけるスートブロワの噴射では、３本のブローパイプ３を回転させることによって熱交換器１の除塵を１／３づつ行う方法をとる。
【００１９】
３本のブローパイプ３はそれぞれ暖管パイプ２の内周に接して後述のように暖管パイプの外部にスチームを噴射するノズル５を有し、３本のブローパイプ３で熱交換器１の必要エリアの噴射をカバーするように配置されている。図３に示すようにスチームはブローパイプ３のノズル５より噴射されるが、スチーム６は外部のスチーム源より開閉弁の制御により３本あるブローパイプの１本にのみ供給され、熱交換器１に噴射される。
【００２０】
回転部の機構はモータ１０により減速装置９を介して暖管パイプ２と共に３本のブローパイプ３を回転させ、３本のブローパイプ３のうち１本のノズル５の方向を熱交換器１へ向け、図３に示すようにスチームを噴射する。減速装置９と反対側の両部分にはロータリジョイント７を設置し、回転部には軸受８を設置する。
【００２１】
図４はノズル部分の拡大断面図であり、ブローパイプ３が暖管パイプ２と接合する部分にはプラグ溶接４１を行いノズル５を共用している。ブローパイプの暖機には暖管パイプ２内の暖機流路２１にスチームを流して行うが、ノズル５と暖管パイプ２との接合部からは暖機媒体の漏れがないように溶接を行う。又、周囲のガスによって冷やされたスチームは暖機流路２１でドレンとなるが、このドレンは暖管パイプ２の端部に設けられたドレントラップ４で除去される。
【００２２】
なお、暖機媒体は噴射媒体自身、即ち前述のようにスチームの場合もあり、その他の媒体の場合もありうる。例えばホットエア、電気ヒータ等が用いられる。
【００２３】
上記に説明の回転機構におけるモータ１０の回転、ノズル５の熱交換器１前面での減速又は一時停止、ノズル５からのスチーム６の噴射のタイミング、噴射時間、等の制御は図示省略の制御装置であらかじめ定められたプログラミングにより自動的に行っても良いし、あるいはモータ１０のスイッチ、スチーム６の開閉弁の操作により手動で行っても良いものである。又、暖管パイプ２内への暖機媒体も同様に自動的に制御し、あるいは手動の弁開閉操作により、いずれの方法で供給しても良いものである。
【００２４】
また、暖機温度は噴射媒体の凝縮温度以上が好ましいが、要はドレン発生に伴う噴射時のミストが熱交換器１等に与える煤塵等の固着の程度が許容できる範囲であれば良く、これによりドレン発生の抑制にも効果があるものである。
【００２５】
このように、本実施の形態においては熱交換器１への噴射媒体のスチーム６がブローパイプ３内に投入される時、ブローパイプ３の温度を暖機媒体流路２１を流れる媒体で暖機することにより噴射媒体の凝縮しにくい温度以上としてブローパイプ３内のドレン発生を抑制することができる。
【００２６】
なお、上記の実施の形態においては、熱交換器１に適用されるスートブロワの例で説明したが、本発明はこれに限定するものではなく、灰、ホコリが堆積する場所の堆積物を気体にて吹き飛ばす機械装置にも適用できるものである。
【００２７】
【発明の効果】
以上、具体的に説明したように本発明は、スートブロワ装置において、ブローパイプを暖管パイプで覆い周囲ガスから隔離して、暖管パイプ内に暖機媒体を通すことで、ブローパイプの暖機を行い、ブローパイプ内にドレン発生を防止する方法を特徴としているので、この方法をガス・ガスヒータに採用するスートブロワ装置に用いることによって、ブローパイプ内のドレン発生を抑制することができる。
【００２８】
排煙脱硫装置のガス・ガスヒータではこれまでスートブロワの噴射により熱交換器に付着したドレンが煤塵を熱交換器に固着化させる原因となり、圧損上昇によってガス・ガスヒータの長期間連続運転が妨げられていたが、本発明の方法を採用することにより、熱交換器への煤塵固着化が予防でき、ガス・ガスヒータの長期間連続運転ができるようになった。
【図面の簡単な説明】
【図１】本発明の実施の一形態に係るブローパイプ内のドレン発生防止方法を適用するスートブロワの縦断面図である。
【図２】図１におけるＡ−Ａ断面図である。
【図３】図１におけるＢ−Ｂ断面図である。
【図４】図１に示すスートブロワにおけるノズル部の拡大断面図である。
【図５】従来の長抜差式スートブロワの縦断面図である。
【図６】従来の定置回転式スートブロワの縦断面図である。
【図７】図６におけるＣ−Ｃ断面図である。
【符号の説明】
１      熱交換器
２      暖管パイプ
３      ブローパイプ
４      ドレントラップ
５      ノズル
６      スチーム
７      ロータリジョイント
８      軸受
９      減速装置
１０    モータ
２１    暖機流路
４１    プラグ溶接部
【図１】
0003758747.tif 000002
【図２】
0003758747.tif 000003
【図３】
0003758747.tif 000004
【図４】
0003758747.tif 000005
【図５】
0003758747.tif 000006
【図６】
0003758747.tif 000007
【図７】
0003758747.tif 000008